(57)【要約】【課題】簡易な構成で何人も容易に使用できて、バッファーにトップネイリストによる操作に近い動きを与えてバッフィングすることができ、以て、自分で容易且つ迅速に、光沢のある美しい爪に仕上げることが可能なバッファーを提供することを課題とする。【解決手段】バッファー本体１に、その長さ方向に延びる支持紐３を取り付け、前記バッファー本体１と前記支持紐３との間に指先を挿入し、前記支持紐３に沿って前記指先をスライド可能にしたことを特徴とし、通例、前記支持紐３に摘まみ２をスライド可能に配し、前記摘まみ２を指先で摘示してスライド可能にする。【選択図】        図１
2004283305.tif 000002
【特許請求の範囲】
【請求項１】
バッファー本体に、その長さ方向に延びる支持紐を取り付け、前記バッファー本体と前記支持紐との間に指先を挿入し、前記支持紐に沿って前記指先をスライド可能にしたことを特徴とするバッファー。
【請求項２】
前記支持紐に摘まみをスライド可能に配し、前記摘まみを指先で摘持してスライド可能にした請求項１に記載のバッファー。
【請求項３】
前記支持紐は、前記バッファー本体の片面に取り付けられる請求項１又は２に記載のバッファー。
【請求項４】
前記支持紐は、前記バッファー本体の両面に取り付けられる請求項１又は２に記載のバッファー。
【請求項５】
前記支持紐は、ループをなすものである請求項４に記載のバッファー。
【請求項６】
前記支持紐は、前記バッファー本体の片面に２本配置される請求項１乃至５のいずれかに記載のバッファー。
【請求項７】
前記支持紐は、前記バッファー本体に対して脱着可能である請求項１乃至６のいずれかに記載のバッファー。
【請求項８】
前記摘まみは、前記バッファー本体の片面において複数配備される請求項１乃至７のいずれかに記載のバッファー。
【請求項９】
前記摘まみは、それを摘む指の方向を指示する形状である請求項１乃至８のいずれかに記載のバッファー。
【請求項１０】
前記摘まみは、前記支持紐に対して脱着可能である請求項１乃至９のいずれかに記載のバッファー。
【発明の詳細な説明】
【０００１】
【発明の属する技術分野】
本発明はバッファー、より詳細には、爪磨きを行なうための道具であって、何人も簡単にトップネイリストのバッフィング（爪磨き）動作に近い動きによるバッフィングを行なうことができるバッファーに関するものである。
【０００２】
【従来の技術】
爪を磨くための道具として、板材の表裏に研磨材を定着したバッファーが用いられている。このバッファーを用いての、所謂トップネイリストによるバッフィングは、図９（Ａ）に示すように、バッファー２１を爪２２のカーブと逆に弧を描くように動かし、バッファー２１の研磨面を広範に使用することにより行われ、爪表面が万遍なく磨き上げられる。また、図９（Ｂ）に矢印で示すように、余り力を入れずに甘皮から爪先に向かって斜めに若干スライドさせながらバッフィングし、美しい光沢に仕上げる。
【０００３】
上記トップネイリストのバッフィング動作を真似することは、一般の人にとって簡単なことではなく、ましてや、自らバッフィングを行なうとなると、一層難しいものとなる。
【０００４】
【発明が解決しようとする課題】
上述したように、一般の人が自分でバッファーを用いてバッフィングを行なうことは難しいことであったので、本発明は、簡易な構成で何人も容易に使用できて、バッファーにトップネイリストによる操作に近い動きを与えてバッフィングすることができ、以て、自分で容易且つ迅速に、光沢のある美しい爪に仕上げることが可能なバッファーを提供することを課題とする。
【０００５】
【課題を解決するための手段】
上記課題を解決するための本発明に係るバッファーは、バッファー本体に、その長さ方向に延びる支持紐を取り付け、前記バッファー本体と前記支持紐との間に指先を挿入し、前記支持紐に沿って前記指先をスライド可能にしたことを特徴とし、通例、前記支持紐に摘まみをスライド可能に配し、前記摘まみを指先で摘示してスライド可能にする。
【０００６】
前記支持紐は、前記バッファー本体の片面、あるいは、両面に取り付けられるものであり、両面に取り付けられる場合は、これをループにすることができる。
【０００７】
前記支持紐は、前記バッファー本体の片面に２本配置されることがあり、また、前記バッファー本体に対して脱着可能にすることもある。
【０００８】
前記摘まみは、前記バッファー本体の片面において複数配備することがあり、前記摘まみは、それを摘まむ指の方向を指示する形状とすることがあり、また、前記支持紐に対して脱着可能にすることがある。
【０００９】
【発明の実施の形態】
本発明の実施の形態を添付図面に依拠して説明する。図１は、本発明に係るバッファーの構成例を示す表裏斜視図で、図中１はバッファー本体である。バッファー本体１は、従来のものと同様に、可撓性を有する板材に研磨材を定着したものである。好ましくは、表裏並びに部分的に研磨材の種類を変える。図示した例では、表面の一半部（１）が粗目、他半部（２）が細目で、裏面（３）が仕上げ用となっている。
【００１０】
２はハート型（図１）、円形（図２（Ａ））、四角形（図２（Ｂ））その他適宜形状の摘まみで、指先で摘まむのに適当な大きさ及び厚さとする。摘まみ２には、端がバッファー本体１の両端に固定された支持紐３が横方向に挿通され、摘まみ２は、指先で摘んだ状態で支持紐３に沿ってスライド自在となるようにされる。支持紐３としては、釣糸のように、強靭で表面が滑りやすいものを用いる。この摘まみ２と支持紐３の構成は、バッファー本体１の片面のみに配置することとしてもよいが、好ましくは、表裏両面に配置する。
【００１１】
支持紐３のバッファー本体１への固定方法は任意で、予めバッファー製造時に設置する場合の他に、例えば、支持紐３をループ状にし、可撓性を有するバッファー本体１に側部から、あるいは、両先端部から切込んだ導入路４に嵌めつける方法（図３（Ａ）、（Ｂ）参照）、支持紐３の両端に取り付けたキャップ５、あるいは、クリップ（洗濯バサミ状のもの）を、バッファー本体１の端部に被せたり、挟み付けたりする方法（図３（Ｃ）参照）、支持紐３の両端に取り付けた嵌合ピン６を、バッファー本体１に形成した嵌合孔７に嵌合する方法（図３（Ｄ）参照）等が考えられる。
【００１２】
支持紐３がバッファー本体１に対し脱着可能の場合は、支持紐３とバッファー本体１が、相互に交換可能となる。
【００１３】
図１に示した例では、摘まみ２は表裏に各１個配置しているが、これに限らず、２個、あるいは、３個等としてもよい。また、支持紐３は、バッファー本体１の片面において、一連にしてもよいし（図１参照）、２つに分けてもよい（図４参照）。
【００１４】
また、摘まみ２に形成される紐挿通孔９は、単なる貫通孔であってもよいし、図５（Ａ）、（Ｂ）に示すように、上面又は裏面に形成されるスリット１０に連通するものであってもよい。このスリット１０を形成するタイプの場合には、支持紐３をバッファー本体に１に固定したままで、支持紐３に対して摘まみ２を脱着することが可能となる。
【００１５】
次に、上記構成の本発明に係るバッファーの使用方法について、図６によって説明する。使用に当っては、バッファー本体１を、その使用する研磨面を下にした状態で、下側の摘まみ２を指先で摘持する。その場合、磨く爪の指を、摘まみ２の上側に斜め向きに置いて摘まむ。図示した摘まみ２はハート形であって、指先をその膨み部に置くことにより、指先を好ましい斜め方向に向けることが容易である（図６（Ａ）参照）。
【００１６】
このように摘まみ２を摘持することにより、摘まみ２上の爪がバッファー本体１の研磨面に密着する（図６（Ｂ）、図７（Ａ）参照）。その状態でバッファー及び／又は指をバッファーの長さ方向に移動させると（図６（Ｃ））、端部に向かうに従って、摘まみ２の進行側端部とバッファー本体１との間隔が狭まっていき、摘まみ２は次第に傾斜状態となっていく（図７（Ｂ）参照）。それに伴ない爪も次第に傾いていく結果、バッファーは爪に対し、図９（Ａ）、（Ｂ）に示すトップネイリストの操作と同じような動きを示し、以て、爪の一半部が研磨される。
【００１７】
次いで、摘まみ２を持つ指の方向を変えて上記と同様の操作をすることにより（図６（Ｄ）、（Ｅ））、爪の他半部が研磨される。そして、以上の動作を、各目について、即ち、粗目（１）、細目（２）、仕上げ（３）の順に行なうことにより、研磨完了となる。
【００１８】
支持紐３がループをなしている場合は、使用してない摘まみ２をバッファー本体１上に立てることにより、支持紐３の緊張力を高めることができ、爪のバッファーへの当接力を高めてバッフィングのタッチを変えることができる（図８参照）。
【００１９】
【発明の効果】
本発明は上述した通りであって、簡易な構成で何人も容易に使用できて、バッファーにトップネイリストの操作に近い動きを与えてバッフィングすることができ、以て、自分で容易且つ迅速に、光沢のある美しい爪に仕上げることが可能なバッファーを提供し得る効果がある。
【図面の簡単な説明】
【図１】本発明に係るバッファーの表裏斜視図である。
【図２】本発明に係るバッファーにおける摘まみの形状例を示す図である。
【図３】本発明に係るバッファーにおける支持紐のバッファー本体への取付方法を示す図である。
【図４】本発明に係るバッファーにおける支持紐の他の取付例を示す図である。
【図５】本発明に係るバッファーにおける摘まみの紐挿通孔の構成例を示す図である。
【図６】本発明に係るバッファーの使用方法を示す図である。
【図７】本発明に係るバッファーの作用を示す図である。
【図８】本発明に係るバッファーにおける支持紐の緊張方法を示す図である。
【図９】トップネイリストによるバッファーの操作方法を示す図である。
【符号の説明】
１    バッファー本体
２    摘まみ
３    支持紐
４    導入路
５    キャップ
６    嵌合ピン
７    嵌合孔
９    紐挿通孔
１０    スリット
【図１】
2004283305.tif 000003
【図２】
2004283305.tif 000004
【図３】
2004283305.tif 000005
【図４】
2004283305.tif 000006
【図５】
2004283305.tif 000007
【図６】
2004283305.tif 000008
【図７】
2004283305.tif 000009
【図８】
2004283305.tif 000010
【図９】
2004283305.tif 000011